(57)【要約】【課題】釣り餌を保持する釣り用の餌ホルダにおいて、生きた魚のように上下左右方向の泳ぎの動作ができる釣り用の餌ホルダを提供する。【解決手段】釣り用の餌ホルダ１は、釣り餌８を装着するための餌装着部２と、リップ３と、釣り針４と、釣り糸を保持する釣り糸装着部５と、バランス用の錘６とを備え、バランス用の錘６は餌装着部２の一端側に取り付けられ、釣り針４は他端側に取り付けられる。リップ３はバランス用の錘６が餌装着部２に取り付けられた位置と対向する位置に取り付けられ、釣り糸装着部５はバランス用の錘６が取り付けられた面と反対側の面のリップ３上に取り付けられる。この構成により、釣り用の餌ホルダ１は、釣り糸を操作することにより、生きた魚のように上下左右方向の泳ぎの動作ができる。【選択図】図１
2014100085.tif 000002
【特許請求の範囲】
【請求項１】
釣り餌を装着するための棒状の餌装着部と、
前記餌装着部の一端側に設けられ、前記餌装着部の棒状部分に対して直角を含む所定の角度をなすリップと、
前記餌装着部の他端に設けられ、所定方向に湾曲した釣り針と、
前記リップに設けられ、釣り糸が取り付けられる釣り糸装着部と、
バランス用の錘とを備え、
前記餌装着部は、前記釣り餌に突き刺して前記釣り餌を保持するために、前記釣り針と同じ方向に突出する１又は複数の餌保持針を備えたことを特徴とする釣り用の餌ホルダ。
【請求項２】
前記錘は、前記リップと前記餌装着部との間に設けられていることを特徴とする請求項１に記載の釣り用の餌ホルダ。
【請求項３】
前記錘は、前記リップ上で、前記餌装着部とは反対側に設けられていることを特徴とする請求項１に記載の釣り用の餌ホルダ。
【請求項４】
前記錘は、前記餌装着部上で、前記釣り針の湾曲方向とは反対側の面に設けられていることを特徴とする請求項１に記載の釣り用の餌ホルダ。
【請求項５】
前記釣り糸装着部は、前記リップ上で前記錘よりも上部に設けられ、
前記釣り針及び前記餌保持針は、前記釣り糸装着部とは反対側に向けて設けられていることを特徴とする請求項１乃至請求項４のいずれか一項に記載の釣り用の餌ホルダ。
【請求項６】
前記釣り糸装着部は、前記リップ上で前記錘よりも上部に設けられ、
前記釣り針は、前記釣り糸装着部側に向けて湾曲していることを特徴とする請求項１乃至請求項４のいずれか一項に記載の釣り用の餌ホルダ。
【発明の詳細な説明】
【技術分野】
【０００１】
本発明は、釣り餌やワームを保持する釣り用の餌ホルダに関する。
【背景技術】
【０００２】
太刀魚釣りにおいて、関西地方で船に乗って太刀魚を釣る場合は、テンヤと呼ばれる餌ホルダがよく使用される。このテンヤに釣り餌を装着するには、釣り餌となる鰯やイカナゴ等のベイトフィッシュをテンヤの胴体部分から上方に伸びた針に腹部から突き刺し、針金でベイトフィッシュとテンヤの胴体部分とを巻きつけて、ベイトフィッシュがテンヤから外れないように固定する。
【０００３】
また、陸地から太刀魚を釣るために、上述のテンヤに新たな機能を追加した小型の投げ釣り用の餌ホルダが存在する。この投げ釣り用の餌ホルダは、上述のテンヤへの針金によるベイトフィッシュの装着のわずらわしさを改善するため、テンヤ本体に回転アームを設けて、ベイトフィッシュをテンヤ本体と回転アームで挟む構造となっている。この挟み込み構造は、上述のテンヤと同様に、胴体部分から上方に伸びた針にベイトフィッシュの腹部を突き刺し、さらにテンヤの前方から伸びた回転アームに設けられた複数の針にベイトフィッシュの背びれ部分を突き刺して、テンヤの胴体部分と回転アームとでベイトフィッシュを挟み込んで固定する構造となっている（特許文献１の図１参照）。
【先行技術文献】
【特許文献】
【０００４】
【特許文献１】特開２０１２−１２０４９６号公報
【発明の概要】
【発明が解決しようとする課題】
【０００５】
しかし、特許文献１の投げ釣り用の餌ホルダによれば、ベイトフィッシュ等の餌を装着して海の沖の方へ投げた後、巻き上げる際に、巻き上げスピードに変化をもたらすことにより、餌ホルダは海中で上下方向の泳ぎ動作ができるが、巻き上げ方向と直交する左右方向には泳ぎの動作ができない。そのため、この投げ釣り用の餌ホルダは、生きた魚のように上下及び左右方向に泳ぎの動作ができないため、ターゲットとなる太刀魚は、装着されたベイトフィッシュに興味を引かない懼れがある。また、船で使用されるテンヤは、海底に落として上方へ巻き上げることを目的とした餌ホルダであるため、特許文献１の投げ釣り用の餌ホルダと同様に、餌を装着した餌ホルダは生きた魚のように上下左右方向の泳ぎの動作ができない。
【０００６】
本発明は、上記課題を解決するものであって、本発明は、装着された釣り餌を海底や中層若しくは表層で上下左右方向の泳ぎの動作ができる釣り用の餌ホルダを提供することを目的とする。
【課題を解決するための手段】
【０００７】
上記課題を解決するため、本発明の釣り用の餌ホルダは、釣り餌を装着するための棒状の餌装着部と、前記餌装着部の一端側に設けられ、前記餌装着部の棒状部分に対して直角を含む所定の角度をなすリップと、前記餌装着部の他端に設けられ、所定方向に湾曲した釣り針と、前記リップに設けられ、釣り糸が取り付けられる釣り糸装着部と、バランス用の錘とを備え、前記餌装着部は、前記釣り餌に突き刺して前記釣り餌を保持するために、前記釣り針と同じ方向に突出する１又は複数の餌保持針を備える。
【０００８】
また、前記錘は、前記リップと前記餌装着部との間に設けられていることが望ましい。
【０００９】
また、前記錘は、前記リップ上で、前記餌装着部とは反対側に設けられていることが望ましい。
【００１０】
また、前記錘は、前記餌装着部上で、前記釣り針の湾曲方向とは反対側の面に設けられていることが望ましい。
【００１１】
また、前記釣り糸装着部は、前記リップ上で前記錘よりも上部に設けられ、前記釣り針及び前記餌保持針は、前記釣り糸装着部とは反対側に向けて湾曲していることが望ましい。
【００１２】
また、前記釣り糸装着部は、前記リップ上で前記錘よりも上部に設けられ、前記釣り針は、前記釣り糸装着部側に向けて湾曲していることが望ましい。
【発明の効果】
【００１３】
本発明の釣り用の餌ホルダによれば、釣り用の餌ホルダの餌装着部の前方にリップが設けられているため、釣り糸を操作することにより釣り餌又はワームを装着した釣り用の餌ホルダは、生きた魚のように上下左右方向の泳ぎの動作ができる。
【図面の簡単な説明】
【００１４】
【図１】本発明の第１の実施形態に係る釣り用の餌ホルダに釣り餌を装着したときの斜視図。
【図２】（ａ）は同釣り用の餌ホルダの正面図、（ｂ）は同釣り用の餌ホルダの上面図、（ｃ）は同釣り用の餌ホルダの前面図。
【図３】同釣り用の餌ホルダの変形例の正面図。
【図４】本発明の第２の実施形態に係る釣り用の餌ホルダの正面図。
【図５】同釣り用の餌ホルダの変形例の正面図。
【図６】本発明の第３の実施形態に係る釣り用の餌ホルダの正面図。
【図７】同釣り用の餌ホルダの変形例の正面図。
【発明を実施するための形態】
【００１５】
(第１の実施形態）
本発明の第１の実施形態に係る釣り用の餌ホルダについて、図１乃至図３を参照して説明する。図１において、釣り用の餌ホルダ１は、太刀魚等の魚を釣るための釣り餌８であるベイトフィッシュ又はワームを保持する餌ホルダーであり、ベイトフィッシュである鰯が背びれの方向から釣り用の餌ホルダ１に装着されている。この釣り用の餌ホルダ１に装着する魚は鰯だけではなく、ドジョウやイカナゴ等の魚や、疑似餌であるワームを釣り餌８として装着することができる。
【００１６】
図２（ａ）（ｂ）（ｃ）において、釣り用の餌ホルダ１は、中央部に棒状の餌装着部２を備え、餌装着部２の一端側には、餌装着部２の棒状部分に対して直角にリップ３がバランス用の錘６を介して設けられている。また、餌装着部２の他端には、餌装着部２の棒状部分に対して先端部分が平行になるように湾曲した釣り針４が取り付けられている。餌装着部２には、釣り餌８に突き刺して釣り餌８を保持するために、釣り針４と同じ方向に突出する２本の餌保持針７を備える。リップ３には、釣り糸が取り付けられる釣り糸装着部５を備える。
【００１７】
球形のバランス用の錘６は、餌装着部２の一端側の先端がバランス用の錘６に設けられた圧入穴６ａに圧入されて、餌装着部２に取り付けられている。また、リップ３は、ボルト９をボルト用貫通穴３ｂに通してボルト用ネジ穴６ｂに挿入することにより、バランス用の錘６に取り付けられている。すなわち、リップ３の取り付け位置は、餌装着部２がバランス用の錘６に取り付けられた位置とは反対側の位置に取り付けられ、バランス用の錘６は、リップ３と餌装着部２との間に設けられている。
【００１８】
釣り糸装着部５は、釣り糸装着部用ネジ穴３ａに挿入されて、バランス用の錘６の取り付け位置よりも上部のリップ３上の位置に取り付けられている。また、餌装着部２の長手方向を境界としてとして、釣り糸装着部５がある方向を上側とした場合、釣り針４及び餌保持針７は、釣り糸装着部５とは反対側の下側に向けて設けられている。
【００１９】
餌保持針７には、釣り餌８を餌保持針７に挿入したとき、釣り餌８が餌保持針７から外れないようにするための釣り餌用返し７ａが設けられている。また、釣り針４にも同様に、釣り餌８を装着したとき、釣り餌８が釣り針４から外れないようにするための釣り餌用返し４ｂと、実際に魚が掛かったときにその魚が釣り針４から外れないようにするための返し４ａが設けられている。
【００２０】
釣り餌８を釣り用の餌ホルダ１に装着する際は、まず、釣り餌８を釣り針４に挿入し、その後に餌保持針７に挿入して、釣り餌８を餌装着部２に固定する。上述のように、釣り餌８は、餌保持針７の釣り餌用返し７ａと釣り針４の釣り餌用返し４ｂにより、釣り用の餌ホルダ１に装着して固定されるが、釣り餌８がより外れないようにするために、針金で釣り餌８と餌装着部２を巻きつけて固定してもよい。
【００２１】
餌保持針７は、餌装着部２に溶接して取り付けられており、釣り針４も、同様に餌装着部２の端部に溶接して取り付けられている。餌装着部２はステンレス等の線材で形成されているため、釣り針４は、餌装着部２の先端を折り曲げて餌装着部２と一体に形成しても良い。また、餌保持針７は２本を例として示したが、装着する釣り餌８の種類に合わせて１本又は複数本設けてもよい。
【００２２】
バランス用の錘６は、釣り用の餌ホルダ１の姿勢が保ち易く、加工も簡単であるため球形の錘を用いたが、必ずしも球形である必要はなく、なす型や円筒形等の錘であってもよい。また、リップ３の形状は、一般的な矩形を用いたが、角部を丸めたり、三角形等の形であってもよい。また、リップ３は餌装着部２の棒状部分に対して直角に取り付けたが、釣り用の餌ホルダ１を使用する海の場所や深さ、巻き上げ速さ等に合わせて、リップ３を所定の角度でバランス用の錘６に取り付けてもよい。また、釣り用の餌ホルダ１は、釣り糸の操作、バランス用の錘６の重さやリップ３の形状等の条件により、上下、左右、回転等の動作をするため、魚の活性状況に合ったリップ形状等を有する釣り用の餌ホルダ１を選択して使用するのがよい。
【００２３】
次に、実施形態１の変形例として海底にいる魚を釣るための、底引きに用いられる釣り用の餌ホルダ１１について図３を参照して説明する。なお、釣り用の餌ホルダ１１及び以降の釣り用の餌ホルダの説明に関し、釣り用の餌ホルダ１と同一の部分は同一の符号を付して、その説明を省略する。
【００２４】
図３において、底引きに用いられる餌ホルダ１１は、釣り用の餌ホルダ１のリップ３の部分を固定して、バランス用の錘６、釣り針４及び餌保持針７を含めた餌装着部２を１８０度回転させた形状を成す。海底は、藻などが存在するため、釣り針４や餌保持針７を下側に向けると、釣り餌８が海底でこすれて釣り餌８が外れたり、藻などに釣り針４や餌保持針７が絡み付くことがあるため、釣り針４や餌保持針７の針先は上側に向くように設計されている。また、釣り糸装着部５は、リップ上に取り付けられており、バランス用の錘６より上部に設けられ、釣り針４は釣り糸装着部５側に向けて湾曲している。また、餌装着部２の長手方向を境界として、釣り糸装着部５がある方向を上側とした場合、釣り針４及び餌保持針７は、釣り糸装着部５と同一の上側に向けて設けられている。なお、釣り餌８となる鰯等は、腹部から釣り用の餌ホルダ１１に装着される。
【００２５】
釣り用の餌ホルダ１は、海の中層又は上層にいる魚を釣るのに適しており、釣り用の餌ホルダ１１は、海底付近にいる魚を釣るのに適している。また、釣り用の餌ホルダ１は、魚が釣り用の餌ホルダ１を下から見たとき、装着された釣り餌８によって餌装着部２の金属部分が隠れる構造となっているため、魚に警戒心を与えにくい。一方、底引きに用いられる釣り用の餌ホルダ１１は、釣り用の餌ホルダ１１の上側にいる魚から、装着された釣り餌８によって餌装着部２の金属部分が隠れる構造となっているため、同様に魚に警戒心を与えにくい。
【００２６】
釣り用の餌ホルダ１及び釣り用の餌ホルダ１１は、リップ３を有する餌ホルダの構造となっているため、ルアーと同様に生きた魚の動きのような上下左右方向の泳ぎの動作ができる。また、釣り用の餌ホルダ１及び釣り用の餌ホルダ１１は、釣り糸側を取り付ける側を前方としたとき、リップ３、バランス用の錘６、餌装着部２、釣り針４の順で構成され、リップ３と餌装着部２の間にバランス用の錘６が取り付けられているため、特に、尻尾を振るような弱いウォブリング（魚を誘うための左右への水平運動・腰振り運動）を行うことに適している。
【００２７】
（第２の実施形態）
第２の実施形態に係る釣り用の餌ホルダについて、図４を参照して説明する。図４において、釣り用の餌ホルダ２０は、中央部に棒状の餌装着部２を備え、一端側には釣り針４が取り付けられ、他端側にはリップ３及びバランス用の錘６の順で取り付けられている。リップ３及びバランス用の錘６は、餌装着部２の端部が餌装着部圧入穴３ｃ及び圧入穴６ａに圧入され、リップ３及びバランス用の錘６が餌装着部２に固定されている。
【００２８】
釣り糸装着部５は、バランス用の錘６の取り付け位置より上側にあるリップ３の釣り糸装着部用ネジ穴に挿入されて、リップ３に取り付けられている。また、図示しないが、釣り餌８は、第１の実施形態の釣り用の餌ホルダ１と同様に、背びれ方向から釣り針４及び餌保持針７に挿入されて餌装着部２に装着される。
【００２９】
次に、実施形態２の変形例として海底にいる魚を釣るための、底引き用釣り用の餌ホルダ２１について図５を参照して説明する。図５において、底引き用釣り用の餌ホルダ２１は、釣り用の餌ホルダ２０のリップ３の部分を固定して、バランス用の錘６及び釣り針４と餌保持針７を含めた餌装着部２を１８０度回転させた形状を成す。
【００３０】
釣り用の餌ホルダ２０及び釣り用の餌ホルダ２１は、ルアーと同様の生きた魚の動きのような上下左右方向の泳ぎの動作ができる。また、釣り用の餌ホルダ２０及び釣り用の餌ホルダ２１は、釣り糸側を取り付ける側を前方としたとき、バランス用の錘６、リップ３、餌装着部２、釣り針４の順で構成されている。すなわち、バランス用の錘６は、餌装着部２とは反対側のリップ３上に取り付けられている。このように、リップ３の前面にバランス用の錘６を取り付けているため、釣り用の餌ホルダ２０及び釣り用の餌ホルダ２１は、縦回転で往復するローリング（左右交互に横揺れしながら泳ぐ動作）を行うことに適している。
【００３１】
(第３の実施形態）
第３の実施形態に係る釣り用の餌ホルダについて、図６を参照して説明する。図６において、釣り用の餌ホルダ３０は、中央部に棒状の餌装着部２を備え、一端側には釣り針４が取り付けられ、他端側にはリップ３が取り付けられている。リップ３は、餌装着部２の端部が餌装着部圧入穴３ｃに圧入され、リップ３が餌装着部２に固定されている。また、餌装着部２の長手方向を境界として、釣り針４の湾曲方向を下面とすると、棒状のバランス用の錘１０は反対の上面に、餌装着部２上の長手方向に沿って取り付けられている。なお、棒状のバランス用の錘１０は、円柱でも直方体の形状でもよい。
【００３２】
次に、実施形態３の変形例として海底にいる魚を釣るための、底引き用釣り用の餌ホルダ３１について図７を参照して説明する。図７において、底引き用釣り用の餌ホルダ３１は、釣り用の餌ホルダ３０のリップ３の部分を固定して、釣り針４及び餌保持針７、バランス用の錘を含めた餌装着部２を１８０度回転させた形状を成す。
【００３３】
釣り用の餌ホルダ３０及び釣り用の餌ホルダ３１は、ルアーと同様の生きた魚の動きのような上下左右方向の泳ぎの動作ができる。また、釣り用の餌ホルダ３０及び釣り用の餌ホルダ３１は、釣り糸側を前方としたとき、リップ３、餌装着部２、釣り針４の順で構成され、棒状のバランス用の錘１０を餌装着部２の長手方向に取り付けているため、釣り用の餌ホルダ３０及び釣り用の餌ホルダ３１は、強いウォブリングを行うことに適している。
【００３４】
第１から第３の実施形態では、餌保持針７は釣り針４と同じ方向に突出させたが、釣り針４から餌装着部２の棒状部分にワームの胴体部分を挿入してワームを餌装着部２に取り付ける場合には、餌保持針７の突出方向は釣り針４と同じ方向である必要はない。すなわち、上述の方法でワームを釣り餌８として餌装着部２に取り付けた場合には、餌装着部２の棒状部分はワームによって覆われるため、餌外れ防止の役割を成す餌保持針７は、いずれの方向から突出させてもよい。
【符号の説明】
【００３５】
１，１１，２０，２１，３０，３１  釣り用の餌ホルダー
２  餌装着部
３  リップ
４  釣り針
４ａ  返し
４ｂ，７ａ  釣り餌用返し
５  釣り糸装着部
６  バランス用の錘
７  餌保持針
８  釣り餌
１０  棒状のバランス用の錘
【図１】
2014100085.tif 000003
【図２】
2014100085.tif 000004
【図３】
2014100085.tif 000005
【図４】
2014100085.tif 000006
【図５】
2014100085.tif 000007
【図６】
2014100085.tif 000008
【図７】
2014100085.tif 000009